(57)【要約】【課題】簡潔な構造でスキュー取り機能を実現した記録装置を提供する。【解決手段】記録用紙１６０にインクを吐出して記録を行う記録装置であって、記録用紙１６０を支持するペーパサポート１２０と、ペーパサポート１２０に支持されている記録用紙１６０を順方向に搬送した後に逆方向に搬送して再び順方向に搬送する搬送ローラ２３０と、搬送ローラ２３０により記録用紙１６０が逆方向に搬送された場合に、記録用紙１６０の後端が搬送方向に直交して度当たる度当たり部３１０とを備える。【選択図】図４
2006240872.tif 000002
【特許請求の範囲】
【請求項１】
被記録物にインクを吐出して記録を行う記録装置であって、
被記録物を支持する被記録物支持部と、
前記被記録物支持部に支持されている前記被記録物を順方向に搬送した後に、逆方向に搬送して、再び順方向に搬送する搬送部と、
前記搬送部により前記被記録物が逆方向に搬送された場合に、前記被記録物の後端が搬送方向に直交して度当たる度当たり部と
を備える記録装置。
【請求項２】
前記度当たり部は、前記被記録物支持部における搬送の順方向に下がる段差を含む請求項１に記載の記録装置。
【請求項３】
前記度当たり部は、前記被記録物の後端が度当たりした場合に前記後端を覆う上端面をさらに含む請求項２に記載の記録装置。
【請求項４】
前記度当たり部は、前記記録物支持部に対向して配され、前記被記録物の搬送経路に対して進退できる請求項１に記載の記録装置。
【請求項５】
前記搬送部は、前記被記録物を把持して搬送する一対の搬送ローラを有し
前記一対の搬送ローラが前記被記録物を把持する位置と、前記度当たり部における前記被記録物の後端が度当たりする位置との距離は、前記被記録物支持部に支持される前記被記録物における搬送方向の長さより短い請求項１に記載の記録装置。
【請求項６】
前記搬送部は、前記被記録物支持部に支持されている最上段の前記被記録物に当接して前記一対の搬送ローラへ向けて給送する給送ローラを更に有し、
前記給送ローラは、前記被記録物が前記一対の搬送ローラにより逆方向に搬送される場合に前記被記録物から離間する請求項５に記載の記録装置。
【請求項７】
被記録物を支持する被記録物支持部と、
前記被記録物支持部から搬送された前記被記録物が逆方向に搬送された場合に、前記被記録物の後端に度当たる度当たり部と
を備える被記録物支持ユニット。
【発明の詳細な説明】
【技術分野】
【０００１】
本発明は、記録装置及び被記録物支持ユニットに関する。より詳細には、被記録物を記録装置内部に取り込んで搬送しつつ記録動作を行う記録装置、及び、被記録物支持ユニットに関する。
【背景技術】
【０００２】
記録装置においては、被記録物を記録ヘッドに対向する位置に搬送して記録動作が行われる。このとき、何らかの理由で被記録物が搬送方向に対して傾くスキューと呼ばれる現象が生じる場合がある。被記録物がスキューを生じると、記録される画像も傾斜する等、記録品質が劣化するだけでなく、被記録物が搬送経路に詰まりやすくなるという深刻な問題も生じる。そこで、多くの記録装置では、被記録物を装入するときにスキューを取り除く「スキュー取り」と呼ばれる処理が実施される。
【０００３】
下記特許文献１には、被記録物を記録装置内に取り込む給送ローラと、記録装置内で被記録物を搬送する搬送ローラとを利用してスキュー取りを行う技術が開示されている。
【特許文献１】特開２００１−０９７５７７号公報
【０００４】
上記特許文献１の記載では、まず、被記録物の搬送経路上で給送ローラよりも下流に位置する搬送ローラの回転を止めた状態で、給送ローラにより被記録物を取り込み、搬送ローラに被記録物の前端を度当たりさせることによりスキュー取りすることが提案されている。即ち、搬送ローラは、被記録物の搬送方向に対して直角な搬送面を有するので、この搬送面に度当たった被記録物の少なくとも前端は搬送方向に直角になる。この状態で給送ローラによる摩擦から開放されると、被記録物自体の弾力性により被記録物の向きは自身の前端に従う方向に矯正される。
【０００５】
また、上記特許文献１の記載とは異なるスキュー取り方法として、被記録物の先端が搬送ローラのニップ点を通りすぎるまでいったん搬送し、次いで、給送ローラを停止させた状態で搬送ローラを逆転させることも提案されている。給送ローラは被記録物の幅よりも狭い幅しか有していないが、被記録物の逆行に対して大きな抵抗力にはなる。この状態で搬送ローラを逆転させて引き返した被記録物は、搬送ローラのニップ点から抜けた部分から順次停止するので、最終的に搬送ローラのニップ点の位置に被記録物の先端が揃う。
【発明の開示】
【発明が解決しようとする課題】
【０００６】
上記のようなスキュー取りは、いずれの方法においても、給送ローラおよび搬送ローラを個別に回転、停止あるいは逆転させることにより行われている。一方、給送ローラと搬送ローラが共通の駆動源で駆動される記録装置では、給送ローラへの駆動力を間欠的に遮断するワンタイムクラッチが設けられている。このため、搬送ローラにニップされた後も更に被記録物を送り込もうとすると、給送ローラの大型化等の望ましくない仕様変更が必要であった。
【０００７】
また、給送ローラを用いて度当たっている被記録物をさらに送り込んだり、逆行する被記録物を給送ローラで制動しようとした場合、給送ローラが被記録物の表面で滑り、被記録物の表面に擦過傷をつけてしまう場合がある。擦過傷は、特に被記録物として光沢紙を使用した場合に目立つ。
【課題を解決するための手段】
【０００８】
そこで、上記課題を解決するために、本発明の第１の形態によると、被記録物にインクを吐出して記録を行う記録装置であって、被記録物を支持する被記録物支持部と、被記録物支持部に支持されている被記録物を順方向に搬送した後に、逆方向に搬送して、再び順方向に搬送する搬送部と、搬送部により被記録物が逆方向に搬送された場合に、被記録物の後端が搬送方向に直交して度当たる度当たり部とを備える記録装置が提供される。これにより、簡潔な構造で確実にスキュー取りが実施できる記録装置が実現される。
【０００９】
また、本発明の実施形態のひとつによると、上記記録装置において、度当たり部は、被記録物支持部における搬送の順方向に下がる段差を含む。これにより、部材の僅かな形状変更で上記記録装置を実現できる。
【００１０】
また、本発明の実施形態のひとつによると、上記記録装置において、度当たり部は、被記録物の後端が度当たりした場合に後端を覆う上端面をさらに含む。これにより、被記録物が反っているような場合でも、スキュー取りのために度当たった被記録物の上端を確実に規制できる。
【００１１】
また、本発明の実施形態のひとつによると、上記記録装置において、度当たり部は、記録物支持部に対向して配され、被記録物の搬送経路に対して進退できる。これにより、複数装入された被記録物を、スキュー取りしながら上層から記録に供することができる。
【００１２】
また、本発明の実施形態のひとつによると、上記記録装置において、搬送部は、被記録物を把持して搬送する一対の搬送ローラを有し一対の搬送ローラが被記録物を把持する位置と、度当たり部における被記録物の後端が度当たりする位置との距離は、被記録物支持部に支持される被記録物における搬送方向の長さより短い。これにより、搬送ローラは、度当たり部に当接した状態で被記録物を逆方向に搬送できる。
【００１３】
また、本発明の実施形態のひとつによると、上記記録装置において、搬送部は、被記録物支持部に支持されている最上段の被記録物に当接して一対の搬送ローラへ向けて給送する給送ローラを更に有し、給送ローラは、被記録物が一対の搬送ローラにより逆方向に搬送される場合に被記録物から離間する。これにより、給送ローラをスキュー取り動作から切り離すことができ、給送ローラの劣化を低減できる。
【００１４】
また、本発明の第２の形態によると、被記録物を支持する被記録物支持部と、被記録物支持部から搬送された被記録物が逆方向に搬送された場合に、被記録物の後端に度当たる度当たり部とを備える被記録物支持ユニットが提供される。これにより、スキュー取りのできる記録装置を容易に実現できる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、記録装置のひとつの実施形態であるインクジェット式記録装置１０を概観する斜視図である。同図に示すように、このインクジェット式記録装置１０は、装置全体の基部となる下ケース１００と、下ケース１００と共に筐体を形成する上ケース１１０と、下ケース１００の後部に装着されたペーパサポート１２０と、下ケース１００の前面に形成された排出トレー１３０とを備えている。また、このインクジェット式記録装置１０は、下ケース１００内に水平に配置されたプラテン１４０と、プラテン１４０の上方に配置されたキャリッジ１５０とを内部に備えている。
【００１８】
上記のようなインクジェット式記録装置１０では、ペーパサポート１２０に収容された記録用紙１６０が、図示されていない搬送部により１枚ずつプラテン１４０上に送り込まれ、更に、図示されていない排出部により排出トレー１３０に送り出される。また、このインクジェット式記録装置１０では、プラテン１４０の上方で、キャリッジ１５０が記録用紙１６０の搬送方向と直交する方向に往復移動する。従って、記録用紙１６０の搬送とキャリッジ１５０の往復移動を交互に行うことにより、記録用紙１６０の上面全体をキャリッジ１５０で走査でき、記録用紙１６０上の任意の領域で記録動作が行える。
【００１９】
図２は、インクジェット式記録装置１０における記録用紙１６０の搬送機構２０を主に示す分解斜視図である。同図に示すように、搬送機構２０は、インクジェット式記録装置１０の後方に露出するペーパサポート１２０と、ペーパサポート１２０の下端１２３に隣接して配置された給送ローラ２１０およびそれに協働する給送従動ローラ２２０と、給送ローラ２１０の前方に順次配置された搬送ローラ２３０、プラテン１４０および排出ローラ２４０から主に形成されている。また、キャリッジ１５０が、プラテン１４０の上方に配置されている。キャリッジ１５０の下面には、記録ヘッドが装着されており、従って、インクはキャリッジ１５０の下方に向かって噴射される。
【００２０】
なお、ペーパサポート１２０の下方に隣接するホッパ１２１は、上端の軸を中心として回動することにより、下端１２３を前後に変移させることができる。これにより、後述する記録用紙１６０の取り込み動作において、ホッパ１２１は、記録用紙１６０を給送ローラ２１０に適切に接触させる。
【００２１】
また、ペーパサポート１２０の略上半分にあたるペーパサポート上部１２２は、その下端１２８の軸を中心として回動することにより、前方に折り畳むことができる。さらに、ペーパサポート上部１２２の表面中央に装着されているスライド部１２４は、ペーパサポート上部１２２を更に上方に延長できるように、上下に摺動させられる。これらの構造は、このインクジェット式記録装置１０が種々の寸法の記録用紙１６０に対応できる一方で、休止時の全体の寸法を縮小できるようになされている。なお、スライド部１２４の下端１２６およびペーパサポート上部１２２の下端１２８は、後述する度当たり部３１０としても利用できる。
【００２２】
更に、給送ローラ２１０はモータ２５０により回転駆動される。また、搬送ローラ２３０および排出ローラ２４０も、図示されていない共通のモータにより回転駆動される。搬送ローラ２３０および排出ローラ２４０には、それぞれ協働する搬送従動ローラ２３２および排出従動ローラ２４２が配されており、それぞれ自身と従動ローラの間に記録用紙１６０を挟んで搬送する。
【００２３】
上記構造において記録動作が開始されると、まず、給送ローラ２１０および給送従動ローラ２２０によって、ペーパサポート１２０上の記録用紙１６０がインクジェット式記録装置１０の内部に取り込まれ、搬送ローラ２３０および搬送従動ローラ２３２に渡される。後述するスキュー取り動作は、この後に実施される。
【００２４】
なお、図中に示すように、給送ローラ２１０は、その周面上の一部が欠如して平面状になった平坦部２１１を有しており、記録用紙１６０の搬送が搬送ローラ２３０に受け継がれた時点で記録用紙１６０から離れる。これにより、給送ローラ２１０と搬送ローラ２３０との搬送量の相違により各ローラに生じる負荷を解消できる。
【００２５】
搬送ローラ２３０および搬送従動ローラ２３２は、協働して記録用紙１６０をプラテン１４０上に送り込む。記録用紙１６０は、プラテン１４０上に位置している期間に、上方のキャリッジ１５０に設けられた記録ヘッドから吐出されるインクを吹きつけられる。このとき、プラテン１４０は記録用紙１６０を下方から支持し、記録ヘッドと記録用紙１６０との間隔を一定に維持する。さらに、キャリッジ１５０の下を通過した記録用紙１６０は、やがて、排出ローラ２４０と排出従動ローラ２４２に挟まれ、インクジェット式記録装置１０の外部へ送り出される。
【００２６】
図３は、上記のインクジェット式記録装置１０における搬送機構２０で実施されるスキュー取り動作の初期段階を示す図である。なお、同図において、図２と共通の構成要素には同じ参照符号を付して、重複する説明を省いている。また、同図においては、ペーパサポート１２０は、それ自体に形成された度当たり部３１０を備えている。即ち、ペーパサポート１２０の表側には、上側が搭載された記録用紙１６０に近く、下側が搭載された記録用紙１６０から遠くなるような段差として、度当たり部３１０が複数形成されている。この度当たり部３１０は、ペーパサポート１２０の表面の全幅にわたって水平に、従って、記録用紙１６０の搬送方向に対して直角に延在している。
【００２７】
記録動作が開始されると、給送ローラ２１０および給送従動ローラ２２０によって、記録用紙１６０が搬送ローラ２３０に向かって取り込まれる。このとき、まず、ホッパ１２１はその下端１２３側を給送ローラ２１０に向かって押し出され、記録用紙１６０の先端１６２を給送ローラ２１０に接触させる。次いで、給送ローラ２１０および給送従動ローラ２２０に挟まれた記録用紙１６０は、給送ローラ２１０の回転に従って前進する。
【００２８】
なお、以下の説明において、記録用紙１６０がペーパサポート１２０を滑り落ち、インクジェット式記録装置１０の内部に向かって進行する方向を「順方向」と表記する。また、逆に、インクジェット式記録装置１０の後方に向かって戻り、更に、ペーパサポート１２０を滑り上がるように進行する方向を「逆方向」と表記する。
【００２９】
図４は、インクジェット式記録装置１０における搬送機構２０で実施されるスキュー取り動作の中間段階を示す図である。上記の通りにして前進した記録用紙１６０は、やがて搬送ローラ２３０および搬送従動ローラ２３２の間に挟まれ、搬送ローラ２３０の回転に従って順方向に搬送される。このとき、給送ローラ２１０は、その平坦部２１１が記録用紙１６０に対面しており、記録用紙１６０からは離れている。また、ホッパ１２１の下端１２３も退避しており、記録用紙１６０に搬送負荷をかけない。
【００３０】
なお、搬送ローラ２３０による記録用紙１６０の順方向の搬送は、記録用紙１６０の後端１６４が、ペーパサポート１２０上面の度当たり部３１０のいずれかを通り過ぎるまで続けられる。また、このとき、記録用紙１６０の先端１６２は、後述する逆方向の搬送を搬送ローラ２３０が行えるに足る長さまで、搬送ローラ２３０を順方向に通り過ぎていることが好ましい。換言すれば、搬送ローラ２３０が記録用紙１６０の先端１６２を把持する位置と度当たり部３１０との搬送経路上の距離は、取り扱う記録用紙１６０の搬送方向の長さよりも短いことが好ましい。
【００３１】
図５は、インクジェット式記録装置１０における搬送機構２０で実施されるスキュー取り動作の最終段階を示す図である。上記の通り記録用紙１６０を一旦僅かに搬送した搬送ローラ２３０は、次に、逆回転して、記録用紙１６０がペーパサポート１２０の方へ戻るような方向（逆方向）に記録用紙１６０を搬送する。このとき、記録用紙１６０後端１６４が度当たり部３１０の段差に度当たって係止されているので記録用紙１６０は撓み、自身の弾力性により後端１６４は度当たり部３１０に押しつけられる。
【００３２】
更に、記録用紙１６０が逆方向に戻って搬送ローラ２３０および搬送従動ローラ２３２の間を抜けたとき、度当たり部３１０が記録用紙１６０の移動を規制する。即ち、上記動作において、給送ローラ２１０は、その平坦部２１１が記録用紙１６０に対面しており、記録用紙１６０から離れている。また、ホッパ１２１の下端１２３も記録用紙１６０から遠ざかるように退避している。更に、記録用紙１６０の先端１６２は、もはや搬送ローラ２３０および搬送従動ローラ２３２には挟まれていない。従って、記録用紙１６０は、度当たり部３１０に当接している後端１６４の方向に合わせて、自身の弾力性により搬送方向と側縁が平行になるように整列され、斯くしてスキューが解消される。従って、この後、再び搬送ローラ２３０が回転して記録用紙１６０を順方向に搬送すれば、スキューの解消された状態で記録動作を実行できる。
【００３３】
なお、図３から図４に示した構造では、ペーパサポート１２０上に度当たり部３１０が形成されているので、ペーパサポート１２０に複数の記録用紙１６０を装入した場合は、積層された記録用紙１６０を下層から取り出さないとスキュー動作を実行できない。また、図３から図４までに示した搬送機構２０では、ペーパサポート１２０上面に複数の度当たり部３１０が形成されている。これら複数の度当たり部３１０を設けることにより、搬送方向の長さが異なる記録用紙１６０に対しても、それぞれの度当たり部３１０により確実にスキューを取ることができる。
【００３４】
図６は、他の度当たり部材３０を示す斜視図である。同図に示すように、この度当たり部材３０においては、単なる段差ではなく、段差とその上端から前方に延在する庇部３２０により形成された陥入部の奥に度当たり部３１０が形成されている。このような形状により、記録用紙１６０に反りがあるような場合でも、度当たりした記録用紙１６０の後端１６４が度当たり部３１０から逃げることがない。なお、この度当たり部材３０は、例えば、図２に示した搬送機構２０において、ペーパサポート１２０の表面に装着されたスライド部１２４と交換して装着できる。
【００３５】
図７は、更に他の度当たり部材３１の実施形態を示す斜視図である。同図に示すように、この度当たり部材３１は、湾曲し且つ傾斜した湾曲リブ３３０と、下端が薄くなるように湾曲リブ３３０の下側に形成された掬い部３４０と、後述する腕部３６０の間を腕部３６０と同じ平面内で結合する小リブ３５０とから形成された部材の両端に、一対の腕部３６０の一端を固定して形成されている。また、腕部３６０の他端は、回動可能に位置決めできるようにヒンジ部３７０を形成している。
【００３６】
図８は、度当たり部材３１の実装形態を示す図であり、図３〜図５の搬送機構２０に対比して描かれている。従って、同図において、図２と共通の構成要素には同じ参照符号を付して、重複する説明を省いている。
【００３７】
同図に示すように、度当たり部材３１は、その下端のヒンジ部３７０をインクジェット式記録装置１０の特定の場所で枢支されており、上端側がペーパサポート１２０に対して近づきあるいは遠ざかるように回動できる。更に、この状態で、腕部３６０を上左方から押さえるような付勢手段３８０が装着されている。従って、度当たり部材３１の掬い部３４０がペーパサポート１２０に当接している。なお、付勢手段３８０としては、バネ等の弾性部材の他、マグネット・アクチュエータ等を用いることもできる。
【００３８】
上記のような構造の搬送機構２０では、記録用紙１６０の装入に際して記録用紙１６０を上方から装入すると、その先端１６２が湾曲リブ３３０を押し退けるので、特別な操作は必要ない。一方、前述のスキュー取り動作のために逆方向に搬送された記録用紙１６０が戻ってきたときには、記録用紙１６０の後端１６４は、まず、掬い部３４０によって案内され、続いて度当たり部３１０によって係止される。以上のような構造により、ペーパサポート１２０に複数の記録用紙１６０を積層して備蓄する形式の搬送機構２０でも、この発明によるスキュー取り動作を実施できる。
【００３９】
なお、上記の一連の実施形態ではいずれの場合も、説明を簡潔にするために、度当たり部３１０が記録用紙１６０の前幅にわたって度当たるように記載している。しかしながら、実際には、記録用紙１６０の後端１６４上で、最低２点を規定すれば記録用紙１６０のスキューを矯正することができる。ただし、度当たり部３１０の面積が極端に小さい場合は、度当たったとき記録用紙１６０の後端１６４を痛める場合があるので、その寸法並びに形状は適切に選択することができる。
【００４０】
図９は、図３〜５に示した搬送機構２０とは異なる構造の搬送機構２２における実施形態を示す図である。なお、この搬送機構２２が前記の搬送機構２０と異なる点は、円形断面の給送ローラ２１２を備える点にある。また、図９では、給送ローラ２１２と搬送従動ローラ２３２との間に配置された用紙検出器２１４も描かれている。その他の構成要素については、搬送機構２０と共通の構成要素に共通の参照符号を付して重複する説明を省いている。
【００４１】
図９に示す搬送機構２２において、給送ローラ２１２は、ワンタイムクラッチを備えた小径ローラである。給送従動ローラ２２０は、上昇または降下するように形成され、上昇したときに給送ローラ２１２に接して連れ回る。一方、用紙検出器２１４は、記録用紙１６０の先端が、自身の配置された位置を通り過ぎているか否かを検出する。また、用紙検出器２１４から搬送ローラ２３０のニップ点までの距離は予め計測されている。従って、記録用紙１６０の先端が、用紙検出器２１４を通過した後、搬送ローラ２３０のニップ点に到達するまでの、給送ローラ２１２による記録用紙１６０の送り量も、予め判っている。
【００４２】
図１０は、記録動作開始時における搬送機構２２の動作を説明する図である。記録動作が開始されると、まず、ホッパ１２１はその下端１２３側を給送ローラ２１２に向かって押し出し、記録用紙１６０の先端１６２を給送ローラ２１２に接触させる。次いで、給送ローラ２１２と上昇している給送従動ローラ２２０とに挟まれた記録用紙１６０は、搬送ローラ２３０に向かって順方向に前進し、用紙検出器２１４の位置を通りすぎる。
【００４３】
図１１は、スキュー取り動作開始時の搬送機構２２の状態を示す図である。前述の通り、記録用紙１６０の先端１６２が用紙検出器２１４を通り過ぎた後、搬送ローラ２３０のニップ点に到達するまでの給送ローラ２１２の回転量は予め判っている。従って、記録用紙１６０の先端１６２が搬送ローラ２３０と搬送従動ローラ２３２に挟まれて搬送されるようになると、給送従動ローラ２２０は降下し、給送ローラ２１２は記録用紙１６０の搬送に関与しなくなる。
【００４４】
一方、搬送ローラ２３０は、後述する逆方向の用紙搬送に必要な量だけ、記録用紙１６０を更に前進させて停止する。このとき、記録用紙１６０の後端１６４は、ペーパサポート１２０に設けられた度当たり部３１０のいずれかひとつを通り過ぎている。
【００４５】
図１２は、搬送ローラ２３０による記録用紙１６０の後退動作を説明する図である。同図に示すように、搬送ローラ２３０が逆回転して記録用紙１６０を逆方向に搬送すると、記録用紙１６０の後端１６４は度当たり部３１０に当接する。度当たり部３１０は、記録用紙１６０の搬送方向に対して直角に形成されているので、度当たり部３１０に当接することにより、記録用紙１６０のスキューは解消される。
【００４６】
図１３は、スキュー取り後の搬送機構２２の動作を示す図である。同図に示すように、スキューが解消された記録用紙１６０は、搬送ローラ２３０によって再び順方向に搬送され、搬送ローラ２３０に続いて配置されているプラテン１４０上に送り出される。プラテン１４０の上方には記録ヘッドを搭載したキャリッジ１５０が位置し、記録用紙１６０に対してインクを噴射する。こうして、スキューが解消された記録用紙１６０に対する印刷ができる。このように、円形断面を有する給送ローラ２１２を含む搬送機構２２においても効果的なスキュー取りを実施できる。
【００４７】
以上詳細に説明したように、この発明によれば、精密部品である給送ローラを用いることなく、また、複雑な部品を付加することなく、スキュー取りの機能を有する記録装置を実現できる。また、給送ローラを大型化しないので、記録装置の小型化にも寄与する。更に、スキュー取りに際して被記録物表面に擦過傷を生じることがない。また更に、スキュー取り動作に際しては、被記録物の把持力の強い搬送ローラを用いて被記録物を操作するので、スキュー取り動作自体も確実に実施される。
【００４８】
なお、本発明の実施形態となり得る液体噴射装置の具体例としては、液晶ディスプレイ用カラーフィルタの製造における色材噴射装置、有機ＥＬディスプレイ、ＦＥＤ（面発光ディスプレイ）等の製造における電極形成装置またはバイオチップ製造に使用する試料噴射ヘッド等があげられるが、これらに限定されるわけではない。
【００４９】
以上、実施の形態を参照して説明したが、本発明の技術的範囲は上記実施の形態に記載の範囲には限定されない。上記実施の形態に、多様な変更または改良を加え得ることは当業者に明らかである。その様な変更または改良を加えた形態も本発明の技術的範囲に含まれ得ることが、特許請求の範囲の記載から明らかである。
【図面の簡単な説明】
【００５０】
【図１】この発明の実施形態であるインクジェット式記録装置１０を概観する斜視図。
【図２】インクジェット式記録装置１０の搬送機構２０を示す分解斜視図。
【図３】インクジェット式記録装置１０におけるスキュー取り動作の初期段階を示す図。
【図４】インクジェット式記録装置１０におけるスキュー取り動作の中間段階を示す図。
【図５】インクジェット式記録装置１０におけるスキュー取り動作の最終段階を示す図。
【図６】度当たり部材３０の実施形態を示す斜視図。
【図７】度当たり部材３１の実施形態を示す斜視図。
【図８】度当たり部材３１の実装状態を示す図。
【図９】他の搬送機構２２と、そこで実施されるスキュー取り動作を示す図。
【図１０】図９に示す搬送機構２２におけるスキュー取り動作前の状態を示す図。
【図１１】図９に示す搬送機構２２におけるスキュー取り動作を説明する図。
【図１２】図９に示す搬送機構２２におけるスキュー取り動作を説明する図。
【図１３】図９に示す搬送機構２２におけるスキュー取り動作後の状態を示す図。
【符号の説明】
【００５１】
１０  インクジェット式記録装置、２０、２２  搬送機構、３０、３１、３２  度当たり部材、１００  下ケース、１１０  上ケース、１２０  ペーパサポート、１２１  ホッパ、１２２  ペーパサポート上部、１２３、１２６、１２８  下端、１２４  スライド部、１３０  排出トレー、１４０  プラテン、１５０  キャリッジ、１６０  記録用紙、１６２  先端、１６４  後端、２１０、２１２  給送ローラ、２１４  用紙検出器、２２０  給送従動ローラ、２３０  搬送ローラ、２３２  搬送従動ローラ、２４０  排出ローラ、２４２  排出従動ローラ、２５０  モータ、３１０  度当たり部、３２０  庇部、３３０  湾曲リブ、３４０  掬い部、３５０  小リブ、３６０  腕部、３７０  ヒンジ部、３８０  付勢手段
【図１】
2006240872.tif 000003
【図２】
2006240872.tif 000004
【図３】
2006240872.tif 000005
【図４】
2006240872.tif 000006
【図５】
2006240872.tif 000007
【図６】
2006240872.tif 000008
【図７】
2006240872.tif 000009
【図８】
2006240872.tif 000010
【図９】
2006240872.tif 000011
【図１０】
2006240872.tif 000012
【図１１】
2006240872.tif 000013
【図１２】
2006240872.tif 000014
【図１３】
2006240872.tif 000015